(57)【要約】【課題】表示内容を容易に変更する。【解決手段】表示データを作成するための表示データ作成用のパソコン１と、表示データを携帯電話機４に配信する表示データサーバ２と、インターネット等の通信ネットワーク３と、記憶媒体のインターフェースを備えた携帯電話機４と、表示データを保存するための記憶媒体５と、専用形式の表示データを表示する表示装置６とから構成される。【選択図】  図１
2006337743.tif 000002
【特許請求の範囲】
【請求項１】
文字や図形の表示データを表示する表示装置であって、
取得した汎用形式のファイルから前記表示データを抽出する抽出手段と、
抽出した表示データを表示させる表示制御手段と、
を備える表示装置。
【請求項２】
記録媒体からファイルを取得する取得手段を備える請求項１記載の表示装置。
【請求項３】
前記表示データを送出する送出手段を備える請求項１又は２記載の表示装置。
【請求項４】
請求項１ないし３のいずれか一項記載の表示装置と、
前記表示装置とネットワークを介して接続され、前記表示装置専用の表示データを含む汎用形式のファイルを作成するファイル作成装置と、
を備える表示システム。
【発明の詳細な説明】
【技術分野】
【０００１】
本発明は、文字や図形の表示データを表示する表示装置及び表示システムに関する。
【背景技術】
【０００２】
従来、複数のＬＥＤ発光体が所望の間隔でマトリックス状に配設された表示部を有する表示装置が街中やロードサイドに配設され、表示部の複数のＬＥＤ発光体を点滅制御することにより、店舗の営業内容や各種の宣伝広告が盛んに行なわれている。
【０００３】
このような表示装置は、専用形式の表示データを表示するものであり、ＬＥＤ発光体を制御するための制御回路や電源部を備え、表示内容に関しては、プログラムにより制御されている。表示内容のプログラムには、設置する店舗の業種があらかじめプログラムされており、それを選択して使用している。しかし、店舗ごとに内容が異なり、顧客の希望する内容により、製造メーカーまたは販売会社等がパーソナル・コンピュータ（以下、パソコンと略称する）の専用ソフトで対応している。
【０００４】
図９は、このような従来の表示装置における表示内容の変更方法を示す図である。図９（ａ）に示すように、表示装置１９には、ＬＥＤ発光体１８がマトリックス状に配設されており、図９（ｂ）に示すパソコン１７で編集した専用形式の表示データを記憶媒体１６に入力し、記憶媒体１６を表示装置１９に接続し、表示装置１９が表示データを読み込むことにより、表示データが変更される（例えば、特許文献１参照）。
【特許文献１】特開２００３‐７６３１４号公報
【発明の開示】
【発明が解決しようとする課題】
【０００５】
このように、上記従来の表示装置にあっては、表示データを変更するためにパソコンを利用しなければならないが、利用者によっては、パソコンを持っていない場合が多く、その対応として、メーカー側で個々の利用者の要望する表示データを作成し、表示装置が設置された場所まで行き、表示データを変更していた。
【０００６】
そこで、パソコンの代わりに、表示データのやりとりに携帯端末を利用することが考えられる。しかしながら、表示装置で用いる表示データの形式は、一般的な携帯端末ではサポートされていない為、表示データを携帯端末でやりとりすることができない。
【０００７】
本発明は、上記従来の事情に鑑みてなされたものであって、表示内容を容易に変更することができる表示装置、及び表示システムを提供することを目的としている。
【課題を解決するための手段】
【０００８】
本発明の表示装置は、専用形式の表示データを表示する表示装置であって、取得した汎用形式のファイルから前記表示データを抽出する抽出手段と、抽出した表示データを表示させる表示制御手段と、を備える。
【０００９】
上記構成によれば、専用形式の表示データを汎用形式のファイルを利用して取得できるので、専用形式の表示データであっても通信端末を介してデータの取得が可能になる為、表示内容を容易に変更することができる。
【００１０】
また、本発明の表示装置は、記録媒体からファイルを取得する取得手段を備える。上記構成によれば、サーバから通信端末にダウンロードしたファイルや、通信端末が受信した電子メールに添付されたファイル等を記録媒体に格納しておけば、記録媒体を介して、ファイルを容易に取得できる。
【００１１】
また、本発明の表示装置は、前記表示データを送出する送出手段を備える。
【００１２】
さらに、本発明の表示システムは、本発明の表示装置と、前記表示装置とネットワークを介して接続され、前記表示装置専用の表示データを含む汎用形式のファイルを作成するファイル作成装置と、を備える。
【発明の効果】
【００１３】
本発明によれば、専用形式の表示データを汎用形式のファイルに含めておけば、表示データ専用形式に対応できない通信端末等を介して取得したファイルから表示データを抽出して表示することができる為、通信端末等を介して表示データを容易に取得でき、表示内容を容易に変更することができる。
【発明を実施するための最良の形態】
【００１４】
以下、本発明を実施するための好適な実施の形態について、図面を参照して詳細に説明する。以下、顧客の要望に応じて、表示装置の表示内容を変更する場合の例を示す。図１は、本発明の実施形態にかかる表示システムを説明するための概略構成図である。図１に示されるように、本実施形態の表示システムにおいては、表示データを作成するための表示データ作成用のパソコン１と、表示データを携帯電話機４に配信する表示データサーバ２と、インターネット等の通信ネットワーク３と、記憶媒体のインターフェースを備えた携帯電話機４と、表示データを保存するための例えばＰＣカード等の記憶媒体５と、専用形式の表示データを表示する表示装置６とから構成される。
【００１５】
図２は、本実施形態の表示装置６を説明するための概略ブロック図である。表示装置６は、複数の発光ダイオード等の発光素子をプリント基板上にマトリックス状に配置して構成されたＬＥＤ発光体２４と、記憶媒体５との間でデータの受け渡しを行うデータ取得部（インターフェース）２１と、記憶媒体５に格納される汎用形式のファイルから、表示装置６専用形式の表示データを抽出するデータ変換処理部２２と、表示装置６の制御プログラムおよび表示データが格納されるメモリ部２５と、装置各部を制御する制御部２３とを備えて構成される。
【００１６】
制御部２３は、所謂マイコンと呼ばれるコンピュータであり、メモリ部２５に格納されているプログラムに従って動作する。制御部２３は、データ取得部２１を介して記憶媒体５から表示データを含むファイルを受け取った場合、受け取ったファイルから、専用形式の表示データをデータ変換処理部２２に抽出させ、抽出した表示データをメモリ部２５に格納させる。また、制御部２３は、その表示データを基にＬＥＤ発光体２４の各発光素子を点灯駆動して文字やイラスト等の表示パターンを発光表示する。
【００１７】
次に、このような表示システムを用いての表示データ転送方法について、図３から図６に示すフローチャート図、図７に示すデータ・フォーマット図、および図８に示す送信メールのフォーマット図を基に説明する。
【００１８】
（１）表示データ作成からサーバへのアップロードまでのフロー
図３に示すように、まず、専用のアプリケーションソフトがインストールされた表示データ作成用のパソコン１（図１参照）を用いて、表示装置６専用形式の表示データを作成、または既に作成された表示データを修正する（ステップＳ１）。次に、通信効率を高めるために表示データを復元可能な圧縮方法（例えば、gzip圧縮など）で圧縮する（ステップＳ２）。
【００１９】
次に、図７に示されるように、圧縮された表示データの前後に追加ヘッダ９と、追加終了コード１０を付加し、更に、追加ヘッダ９の頭にＪＰＥＧ（Joint Photographic Expert Group）形式コンテナファイル１１を付加する（ステップＳ３）。これにより、専用形式の表示データを、携帯電話機４がサポートする、汎用形式のファイルにすることができる。ここで、効率よく携帯電話機４との通信を行うため、ＪＰＥＧ形式コンテナファイル１１のサイズは３ｋＢ以下とすることが好ましい。そして、新たにできた表示データを載せたＪＰＥＧファイル１３を表示データサーバ２にアップロードする（ステップＳ４）。
【００２０】
（２）ユーザの操作
次に、図４に示すように、ユーザは、携帯電話機４を経由して表示データサーバ２のホームページにアクセスする（ステップＳ５）。次に、携帯電話機４のボタンを操作し、目的となる表示データのタイトルを探す（ステップＳ６）。
【００２１】
目的のタイトルが見つかったら、携帯電話機４に目的となる表示データの画像ファイルをダウンロードする（ステップＳ７）。これにより、携帯電話機４の画面にＪＰＥＧ形式コンテナファイル（汎用形式のファイル）の画像が表示され、携帯電話機４を操作し、画像を携帯電話機４本体のメモリに保存する（ステップＳ８）。
【００２２】
次に、表示データサーバ２のホームページ上に表示される“ダウンロードした画像ファイルを添付して送信メールを作成、保存”の案内メッセージに従って、図８に示す送信メール１４を作成し、送信メール１４を携帯電話機４内部に保存する（ステップS９）。送信メール１４にダウンロードした画像ファイル１３を添付することにより、画像ファイル１３が送信メールファイル１４（ＭＩＭＥ（Multipurpose Internet Mail Extensions）形式）内に保存される。
【００２３】
次に、携帯電話機４を操作し、携帯電話機４内の送信メールファイル１４（ＭＩＭＥ形式）を記憶媒体５に出力させる（ステップＳ１０）。次に、携帯電話機４から記憶媒体５を取り出す（ステップＳ１１）。
【００２４】
（３）表示装置の操作
次に、図５に示すように、記憶媒体５を表示装置６のスロットあるいはアダプタに入れる（ステップＳ１２）。そして、表示装置６のリモコンを操作し、表示装置６を記憶媒体読み込みモードに遷移させる（ステップＳ１３）。
【００２５】
次に、表示装置６内部では記憶媒体５内のファイル構造を解析する。表示装置６は記憶媒体５内のファイルを選択する機能を有し、リモコンを操作することにより、記憶媒体５内の解析すべきファイルを選択する。また、ファイル選択時にファイル名或いはフォルダ名が表示装置６に表示される（ステップＳ１４）。
【００２６】
（４）表示装置の内部処理
次に、図６に示すように、表示装置内部では、選択したファイルである、図８に示されるような送信メールファイル１４（ＭＩＭＥ形式ファイル）を解析し、添付ファイル１４（ＪＰＥＧコンテナ＋表示データ）を取り出す（ステップＳ１５）。
【００２７】
次に、取り出した添付ファイル１４部分はファーマット変換されているので、表示装置６内部で逆変換を行う。逆変換の結果、ＪＰＥＧ形式のファイル１３が復元される（ステップＳ１６）。
【００２８】
復元されたＪＰＥＧファイル１３のファーマットを図７に示す。表示装置６内部でＪＰＥＧファイル１３を解析し、ＪＰＥＧファイルの画像終了コード８および追加ヘッダ９に基づいて、圧縮した表示データ１２を抽出する（ステップＳ１７）。
【００２９】
次に、表示装置６の内部処理として、圧縮した表示データ１２を解凍し、表示データを復元する（ステップＳ１８）。また、表示装置６の内部処理として、復元された表示データを表示装置６のメモリ部２５に保存する（ステップＳ１９）。以上述べた方法により、表示データサーバ２に格納された表示データ１２を表示装置６に入力することができる。
【００３０】
以上説明したように、本実施形態の表示装置及び表示システムによれば、従来のようにダウンロード用パソコンを持ち歩く必要がなくなり、携帯端末があれば、いつでもどこでも、必要な表示データを入手し、容易に表示内容を変更することができる。
【００３１】
なお、上記実施の形態では、表示データサーバ２から表示データを取得するものとして、携帯電話機４を用いたが、表示データサーバ２に接続できる機能と、表示データサーバ２からダウンロードした表示データを着脱可能な記録媒体に書き込む機能とを備えるものであって、小型で携帯性のある電子機器であれば、どのようなものであっても構わない。例えば、ＰＤＡ（Personal Digital Assistant）やＰＨＳ(Personal Handy-Phone system)などが挙げられる。
【００３２】
また、上記実施の形態では、表示データ作成用のパソコン１で作成した表示データを含むファイルを、サーバを介して携帯電話機４にダウンロードする場合について説明したが、サーバからダウンロードする以外にも、ファイルを添付した電子メールをパソコン１から直接携帯電話機４に送信してもよい。また、携帯電話機と表示装置とをケーブル等で直接接続し、表示装置にファイルを取得させてもよい。
【００３３】
また、顧客が表示装置６の表示内容の変更を希望する場合に、現状の表示データを記憶媒体５に格納し、記憶媒体５に格納された現状の表示データを、携帯電話機４を介して表示データ作成用のパソコン１にアップロードすることもできる。
【００３４】
この場合は、表示データ作成用のパソコン１において、表示データを顧客の希望する表示内容に迅速に変更することができ、さらに、変更後の表示データを携帯電話機４および記憶媒体５を介して、表示装置６に表示させることができるので、顧客の希望に沿った表示内容に迅速に変更することができる。
【産業上の利用可能性】
【００３５】
本発明は、表示内容を容易に変更することができる効果を有し、専用形式の表示データを表示する表示装置及び表示システム等に有用である。
【図面の簡単な説明】
【００３６】
【図１】本発明の実施形態の表示システムを説明するための概略構成図
【図２】本発明の実施形態の表示装置を説明するための概略ブロック図
【図３】本発明の実施形態の表示方法において表示データ作成からサーバへのアップロードまでのフローチャート
【図４】本発明の実施形態の表示方法において携帯電話機におけるユーザの操作を説明するためのフローチャート
【図５】本発明の実施形態の表示方法において表示装置の操作を説明するためのフローチャート
【図６】本発明の実施形態の表示方法において表示装置の内部処理を説明するためのフローチャート
【図７】本発明の実施形態の表示方法におけるデータ・フォーマットを示す図
【図８】本発明の実施形態の表示方法における送信メールのフォーマットを示す図
【図９】従来の表示装置における表示内容の変更方法を示す図
【符号の説明】
【００３７】
１，１７  パソコン
２  表示データサーバ
３  通信ネットワーク
４  携帯電話機
５，１６  記憶媒体
６，１９  表示装置
７  画像開始コード
８  画像終了コード
９  追加ヘッダ
１０  追加終了コード
１１  ＪＰＥＧ形式コンテナファイル
１２  表示データ
１３  ＪＰＥＧファイル
１４  送信メールファイル
１５  添付ＪＰＥＧファイル
１８，２４  ＬＥＤ発光体
２１  データ取得部
２２  データ変換処理部
２３  制御部
２５  メモリ部
【図１】
2006337743.tif 000003
【図２】
2006337743.tif 000004
【図３】
2006337743.tif 000005
【図４】
2006337743.tif 000006
【図５】
2006337743.tif 000007
【図６】
2006337743.tif 000008
【図７】
2006337743.tif 000009
【図８】
2006337743.tif 000010
【図９】
2006337743.tif 000011